(57)【要約】【課題】    使用者の存在を確実かつ迅速に検知でき、同時に、消費電力も効率的に低減できるトイレ用人体検知装置及びこれを備えたトイレ装置を提供することを目的とする。【解決手段】    温水洗浄便座ユニットと分離して設けられたトイレ用人体検知装置であって、使用者を検知する人体検知部と、前記人体検知部による人体検知結果の前記温水洗浄便座ユニットへの送信を制御する使用認識部と、を備え、前記使用認識部は、前記温水洗浄便座ユニットを制御するリモコンを前記使用者が操作した時や前記温水洗浄便座ユニットから通知信号が送信された時に、前記人体検知結果の前記温水洗浄便座ユニットへの送信を制限することを特徴とするトイレ用人体検知装置を提供する。【選択図】    図１
2006283394.tif 000002
【特許請求の範囲】
【請求項１】
温水洗浄便座ユニットと分離して設けられたトイレ用人体検知装置であって、
使用者を検知する人体検知部と、
前記人体検知部による人体検知結果の前記温水洗浄便座ユニットへの送信を制御する使用認識部と、
を備え、
前記使用認識部は、前記温水洗浄便座ユニットを制御するリモコンを前記使用者が操作すると、前記人体検知結果の前記温水洗浄便座ユニットへの送信を制限することを特徴とするトイレ用人体検知装置。
【請求項２】
温水洗浄便座ユニットと分離して設けられたトイレ用人体検知装置であって、
使用者を検知する人体検知部と、
前記人体検知部による人体検知結果の前記温水洗浄便座ユニットへの送信を制御する使用認識部と、
を備え、
前記使用認識部は、前記使用者が前記温水洗浄便座ユニットを使用することによって前記温水洗浄便座ユニットの送信部から送信される通知信号が送信されると、前記人体検知結果の前記温水洗浄便座ユニットへの送信を制限することを特徴とするトイレ用人体検知装置。
【請求項３】
前記使用認識部は、前記検知結果を前記温水洗浄便座ユニットに送信した後、所定時間内は前記人体検知結果の送信を禁止することを特徴とする請求項１または２に記載のトイレ用人体検知装置。
【請求項４】
前記トイレ用人体検知装置は、前記温水洗浄便座ユニットを制御するリモコンと一体をなすことを特徴とする請求項１記載のトイレ用人体検知装置。
【請求項５】
前記トイレ用人体検知装置は、前記温水洗浄便座ユニットを制御するリモコンと分離して設けられたことを特徴とする請求項１記載のトイレ用人体検知装置。
【請求項６】
前記トイレ用人体検知装置は、前記温水洗浄便座ユニットを制御するリモコンを収容するリモコンハンガーと一体をなし、
前記リモコンハンガーは、音声を発生する音声再生部と、前記人体検知結果の前記送信に応じて前記音声再生部に音声を発生させる音声再生制御部と、を有することを特徴とする請求項１、４及び５のいずれか１つに記載のトイレ用人体検知装置。
【請求項７】
前記リモコンハンガーは、前記温水洗浄便座ユニットを制御するリモコンから前記温水洗浄便座ユニットに対して送信される制御信号を傍受する受信部を有し、
前記受信部は、前記制御信号の受信に対応した信号を前記使用認識部に送ることを特徴とする請求項６記載のトイレ用人体検知装置。
【請求項８】
前記人体検知部は、焦電センサを有することを特徴とする請求項１〜７のいずれか１つに記載のトイレ用人体検知装置。
【請求項９】
請求項１〜８のいずれか１つに記載のトイレ用人体検知装置と、
前記温水洗浄便座ユニットと、
を備えたことを特徴とするトイレ装置。
【請求項１０】
前記温水洗浄便座ユニットは、便蓋と、前記便蓋の開閉を制御する駆動機構と、を有し、
前記トイレ用人体検知装置から前記人体検知結果が送信されると、前記駆動機構によって前記便蓋が開かれることを特徴とする請求項９記載のトイレ装置。
【発明の詳細な説明】
【技術分野】
【０００１】
本発明は、トイレ用人体検出装置及びトイレ装置に関し、より具体的には、トイレの使用者の存在を確実に検知しつつ、消費電力を低減させたトイレ用人体検出装置及びトイレ装置に関する。
【背景技術】
【０００２】
近年、トイレに付設されるトイレ装置は多機能化する傾向にある。例えば、使用者の「おしり」などを洗浄する温水洗浄機能や、便蓋を自動開閉する自動開閉機能、便座を暖める便座暖房機能、臭気を除去する脱臭機能、トイレを暖房する部屋暖房機能などをはじめとした各種の機能がトイレ装置に付与され、快適空間の実現に寄与している。
【０００３】
これら各種の機能の多くは、使用者の存在の有無に応じて実行・停止される。例えば、便蓋を自動開閉する場合には、使用者がトイレに接近したことを検知して便蓋を開き、使用者がトイレから退出したことを検知して便蓋を閉じる。  
ところが、使用者の存在を検知するためのセンサをトイレに付設されるトイレ装置の本体部に設けると、例えば、便蓋や便座の開閉により、誤検知や検知漏れなどが生ずる場合がある。
【０００４】
これに対して、本願出願人は、人体検知センサをトイレ装置のリモコンに付設した人体検出装置を開示した（特許文献１参照）。この人体検出装置は、使用者の存在を確実に検知でき、さらに使用者がリモコン操作した場合などにセンサをオンにし、使用者がいなくなったことを検知したらオフにすることにより消費電力を低減できる。
【特許文献１】特開２００１−２０３４９号公報
【発明の開示】
【発明が解決しようとする課題】
【０００５】
例えば、使用者の接近を検知して便蓋を自動的に開くためには、待機状態においてセンサをオンにしておく必要がある。本発明者は、独自の検討を進めた結果、このような動作態様において消費電力を効率的に低減できるシステムを発明するに至った。
【０００６】
本発明は、使用者の存在を確実かつ迅速に検知でき、同時に、消費電力も効率的に低減できるトイレ用人体検知装置及びこれを備えたトイレ装置を提供するものである。
【課題を解決するための手段】
【０００７】
本発明の一態様によれば、
温水洗浄便座ユニットと分離して設けられたトイレ用人体検知装置であって、
使用者を検知する人体検知部と、
前記人体検知部による人体検知結果の前記温水洗浄便座ユニットへの送信を制御する使用認識部と、
を備え、
前記使用認識部は、前記温水洗浄便座ユニットを制御するリモコンを前記使用者が操作すると、前記人体検知結果の前記温水洗浄便座ユニットへの送信を制限することを特徴とするトイレ用人体検知装置が提供される。
【０００８】
上記構成によれば、トイレ用人体検知装置を温水洗浄便座ユニットとは分離して設けることにより、使用者をより迅速かつ確実に検知でき、便蓋の自動開閉などの自動動作を迅速に行うことができる。また、リモコンが操作された時に、人体検知信号の送信を制限することによって、トイレ用人体検知装置の消費電力を低減できる。
【０００９】
また、本発明の他の一態様によれば、
温水洗浄便座ユニットと分離して設けられたトイレ用人体検知装置であって、
使用者を検知する人体検知部と、
前記人体検知部による人体検知結果の前記温水洗浄便座ユニットへの送信を制御する使用認識部と、
を備え、
前記使用認識部は、前記使用者が前記温水洗浄便座ユニットを使用することによって前記温水洗浄便座ユニットの送信部から送信される通知信号が送信されると、前記人体検知結果の前記温水洗浄便座ユニットへの送信を制限することを特徴とするトイレ用人体検知装置が提供される。
【００１０】
上記構成によっても、トイレ用人体検知装置を温水洗浄便座ユニットとは分離して設けることにより、使用者をより迅速かつ確実に検知でき、便蓋の自動開閉などの自動動作を迅速に行うことができる。また、温水洗浄便座ユニットが使用された時に、人体検知信号の送信を制限することにより、トイレ用人体検知装置の消費電力を低減できる。
【００１１】
ここで、温水洗浄便座ユニットについての「使用」とは、例えば、温水洗浄便座ユニットに設けられたスイッチあるいはリモコンを介して、温水洗浄便座ユニットの温水洗浄機能、乾燥機能、脱臭機能、便座暖房機能などの機能を動作させることや、着座センサにより検知されることや、便蓋や便座を手動で開くことなどを含む。
【００１２】
また、前記使用認識部は、前記検知結果を前記温水洗浄便座ユニットに送信した後、所定時間内は前記人体検知結果の送信を禁止するものとれば、さらに送信を効率的に禁止でき、トイレ用人体検知装置の消費電力をさらに低減できる。
【００１３】
また、前記トイレ用人体検知装置は、前記温水洗浄便座ユニットを制御するリモコンと一体をなすものとすれば、見栄えがすっきりとし、電源や温水洗浄便座ユニットとの通信インタフェースなどを共用でき、また、リモコンが操作された時にトイレ用人体検知装置へのフィードバックを確実かつ容易に実行できる。
【００１４】
または、前記トイレ用人体検知装置は、前記温水洗浄便座ユニットを制御するリモコンと分離して設けられたものとすれば、リモコンは使用者の手元などの操作しやすい位置に設置でき、一方、トイレ用人体検知装置は、トイレに接近する使用者を迅速かつ確実に検知できる位置に設置できる。
【００１５】
また、前記トイレ用人体検知装置は、前記温水洗浄便座ユニットを制御するリモコンを収容するリモコンハンガーと一体をなし、前記リモコンハンガーは、音声を発生する音声再生部と、前記人体検知結果の前記送信に応じて前記音声再生部に音声を発生させる音声再生制御部と、を有するものとすれば、見栄えがすっきりとするとともに、使用者を検知して音楽や効果音、擬音、音声ガイドなどを自動再生させることが可能となる。
【００１６】
またここで、前記リモコンハンガーは、前記温水洗浄便座ユニットを制御するリモコンから前記温水洗浄便座ユニットに対して送信される制御信号を傍受する受信部を有し、前記受信部は、前記制御信号の受信に対応した信号を前記使用認識部に送るものとすれば、リモコンが操作されたことに対応して音楽や効果音、擬音、音声ガイドなどを自動再生させることが可能となり、またさらに、リモコンが操作されたことを使用認識部に伝えることにより人体検知信号の送信を制限でき、トイレ用人体検知装置の消費電力をさらに効率的に低減できる。
【００１７】
また、前記人体検知部は、焦電センサを有するものとすれば、いわゆるアクティブ型のセンサを用いた場合と比較して消費電力が少なく、駆動電源としての電池を長持ちできる。
【００１８】
一方、本発明のさらに他の一態様によれば、
上記のいずれかのトイレ用人体検知装置と、
前記温水洗浄便座ユニットと、
を備えたことを特徴とするトイレ装置が提供される。
【００１９】
上記構成によれば、トイレ用人体検知装置を温水洗浄便座ユニットとは分離して設けることにより、使用者をより迅速かつ確実に検知でき、便蓋の自動開閉などの自動動作を迅速に行うことができる。また、リモコンが操作された時や温水洗浄便座ユニットが使用された時に人体検知信号の送信を制限することによって、トイレ用人体検知装置の消費電力を低減できる。
【００２０】
ここで、前記温水洗浄便座ユニットは、便蓋と、前記便蓋の開閉を制御する駆動機構と、を有し、前記トイレ用人体検知装置から前記人体検知結果が送信されると、前記駆動機構によって前記便蓋が開かれるものとすれば、使用者を早く検知し、それに合わせて、便蓋を迅速に開くことができ、使い勝手がよく、ストレスのないトイレ装置を提供できる。
【発明の効果】
【００２１】
本発明によれば、使用者の存在を確実かつ迅速に検知でき、同時に、消費電力も効率的に低減できる人体検知装置及びこれを備えたトイレ装置を提供することができ、産業上のメリットは多大である。
【発明を実施するための最良の形態】
【００２２】
以下、図面を参照しつつ本発明の実施の形態について説明する。  
図１は、本発明の第１の実施の形態にかかるトイレ用人体検知装置を備えたトイレ装置の構成を例示する概念図である。
【００２３】
すなわち、このトイレ装置は、水洗便器３００の上に付設された温水洗浄便座ユニット（ＷＬ）５００と、と、リモコン２００と一体的に設けられた人体検知ユニット１００と、を有する。温水洗浄便座ユニット５００には、便座４１０（図示せず）と、便蓋４００と、が設けられている。  
温水洗浄便座ユニット５００は、使用者が便座４１０に座った状態で温水を噴射させて「おしり」などを洗浄することができる装置であり、商標名「ウォシュレット」などとして普及しているものである。温水洗浄便座ユニット５００には、その他にも例えば、濡れた「おしり」を乾かす「温風乾燥機能」や、便座４１０を暖める「便座暖房機能」、便器内の臭気を除去する「脱臭機能」などを設けることができる。また、使用者の接近を検知して便蓋４００を自動的に開き、使用者がいなくなると便蓋４００を自動的に閉じる「オート開閉機能」を設けることもできる。  
またさらに、リモコン操作などにより便器３００に洗浄水を流す「自動水洗機能」を、温水洗浄便座ユニット５００に付加してもよい。これは、ロータンクやフラッシュバルブの排水機構を動作させる駆動機構を設け、この駆動機構を動作させる信号を温水洗浄便座ユニット５００から出力させて、便器３００に自動的に洗浄水を流す機能である。
【００２４】
このような温水洗浄便座ユニット５００の動作は、リモコン２００により制御可能とされている。すなわち、使用者がリモコン２００を操作すると、その操作内容に応じた制御信号Ｔｘが温水洗浄便座ユニット５００に設けられた受信部５１０に送信される。このデータ通信は、例えば、赤外線や電波などを媒体として実施できる。温水洗浄便座ユニット５００は、制御信号Ｔｘを受け取ると、その内容に応じて洗浄動作や温風乾燥動作などを実施する。例えば、ノズル５０５を矢印Ａの方向に伸展させ、その先端から温水を使用者のおしりに向けて噴射させることができる。
【００２５】
そして、本発明によれば、リモコン２００に、人体検知ユニット１００が設けられている。人体検知ユニット１００は、便器３００の近傍の使用者を検知し、その検知情報を検知信号Ｔｙとして温水洗浄便座ユニット５００に送信する。リモコン２００に人体検知ユニット１００を設けることにより、便器３００に接近する使用者をより早く検知することができる。使用者を早く検知できると、それに合わせて、便蓋４００を迅速に開くことにより、使い勝手がよく、ストレスのない自動開閉が可能となる。また、使用者をより早く検知して、便座４１０（図示せず）を急速に暖房したり、温水洗浄のための温水を急速に加熱できれば、待機状態の消費電力を低減できる。
【００２６】
そしてさらに、本実施形態においては、使用者がリモコン２００を操作した時には、人体検知ユニット１００からの検知信号Ｔｙの送信を休止する。このようにすると、人体検知ユニット１００（あるいはリモコン２００全体）の消費電力を効率的に低減できる。
【００２７】
図２は、本実施形態における各要素の構成を例示するブロック図である。  
リモコン２００と一体的に設けられた人体検知ユニット１００は、人体検知部１１０と、使用認識部１２０と、を有する。人体検知部１１０は、使用者を検知するセンサを有する。センサとしては、例えば、赤外線や電波などを放射しその反射光（反射波）を検出する「アクティブ型」のセンサを用いることができる。または、使用者が発する赤外線などを検出する「パッシブ型」のセンサを用いることもできる。後に詳述するように、パッシブ型のセンサを用いると、消費電力をより低く抑えることができる点でより有利である。
【００２８】
一方、使用認識部１２０は、使用者によるリモコン２００の使用状況を認識し、その結果に基づいて、検知信号Ｔｙの送信の可否を判定する。  
また、リモコン２００は、操作入力部２１０と、リモコン制御部２２０と、送信部２３０と、を有する。使用者が操作入力部２１０に設けられたスイッチ類を操作すると、その内容をリモコン制御部２２０が判断し、対応する制御信号Ｔｘを送信部２３０から送信させる。送信された制御信号Ｔｘは、温水洗浄便座ユニット５００の受信部５１０に受信され、制御部５５０は指定された動作を実行する。  
また一方、人体検知ユニット１００から送信部２３０を介して、使用者の検知情報に関する検知信号Ｔｙが送信され、温水洗浄便座ユニット５００は、この検知信号Ｔｙに対応して各種の動作を実行する。
【００２９】
以上説明した構成において、使用者がリモコンを操作すると、その情報がリモコン制御部２２０から使用認識部１２０に出力される。すると、使用認識部１２０は、例えば、所定の時間、検知信号Ｔｙの送信を停止する。このようにすると、検知信号Ｔｙを出力することに伴う電力消費を節減できる。なおここで、使用者のリモコン装置の情報を、リモコン制御部２２０から使用認識部１２０に出力する代わりに、操作入力部２１０から使用認識部１２０に直接、出力してもよい。
【００３０】
図３は、本実施形態のトイレ装置における動作を例示するフローチャートである。  
すなわち、人体検知ユニット１００の人体検知部１１０が使用者の接近や存在を検知すると（ステップＳ１０２：ｙｅｓ）、使用認識部１２０は、リモコンの操作入力部２１０が使用者により操作されたか否かを判定する。この情報は、図２に関して前述したように、リモコン制御部２２０（あるいは操作入力部２１０）から使用認識部１２０に与えられる。
【００３１】
リモコンが操作された場合（ステップＳ１０４：ｙｅｓ）には、それに対応する制御信号Ｔｘが温水洗浄便座ユニット５００に送信され（ステップＳ１０６）、さらに、使用認識部１２０において、所定時間（例えば、３０秒間）のタイマがリセットされ再スタートされて（ステップＳ１０８）、ステップＳ１０２に戻る。つまり、リモコンが操作された場合には、人体検知に関する検知信号Ｔｙを温水洗浄便座ユニット５００に送信せず、タイマをリセットする。
【００３２】
一方、使用者を検知し、リモコンが操作されない場合（ステップＳ１０４：ｎｏ）は、タイマーが所定時間をカウントした後（ステップＳ１１０：ｙｅｓ）に、温水洗浄便座ユニット５００に検知信号Ｔｙを送信し（ステップＳ１０１２）、タイマをリセットする（ステップＳ１０８）。検知信号Ｔｙを受信した温水洗浄便座ユニット５００は、それに対応して後に詳述するように各種の動作を実行する（処理１）。つまり、使用者がリモコン２００を操作した後に所定時間が経過し、さらにリモコンが操作されていない時には、検知信号Ｔｙを送信する。
【００３３】
以上説明したように、本実施形態によれば、使用者がリモコン２００を操作した場合に、例えばその後の所定時間の間、検知信号Ｔｙの送信を禁止することにより、人体検知ユニット１００（リモコン２００）の消費電力を低減させることができる。人体検知ユニット１００（リモコン２００）は、通常は電池により動作するので、電池の寿命を延ばすことができ、メンテナンス性や省資源の観点で優れたシステムを実現できる。
【００３４】
図４は、検知信号Ｔｙを受信した時に温水洗浄便座ユニット５００において実行される動作を例示するフローチャートである。  
すなわち、温水洗浄便座ユニット５００は、検知信号Ｔｙを受信すると（ステップＳ２０２：ｙｅｓ）、便蓋４００が閉じているか否かを判断する（ステップＳ２０４）。便蓋４００が閉じて場合には、内蔵する開閉機構により、便蓋４００を開く（ステップＳ２０６）。
【００３５】
そして、次に、着座センサが使用者を検知しているか否かを調べる（ステップＳ２０８）。着座センサが使用者を検知している時（ステップＳ２１０）は、「おしり」などを洗浄する温水洗浄動作の操作を受付可能な状態とし、また、脱臭機能を作動させる（ステップＳ２１２）。
【００３６】
一方、ステップＳ２０８において、着座センサが非検知の場合（ステップＳ２０８：ｎｏ）は、便座４１０が開いているか否かを判定する（ステップＳ２１４）。便座４１０が開いている場合（ステップＳ２１４：ｙｅｓ）は、男性が立った状態で使用していると推定し、便座４１０が開かれてから所定時間が経過している場合（ステップＳ２１６：ｙｅｓ）には、便座４１０と便蓋４００を閉じる（ステップＳ２１８）。
【００３７】
また、ステップＳ２１４において便座４１０が閉じている場合（ｎｏ）は、前回の検知信号Ｔｙを受信してから所定時間が経過した時（ステップＳ２２０：ｙｅｓ）に、便座４１０、便蓋４００を自動的に閉じる（ステップＳ２１８）。
【００３８】
一方、検知信号Ｔｙを受信しない場合（ステップＳ２０２：ｎｏ）は、前回の検知信号Ｔｙを受信してから所定時間（ａ秒）が経過したか否かを判定する（ステップＳ２２２：ｙｅｓ）。経過していない場合（ステップＳ２２２：ｎｏ）は、使用者は存在しているものと推定してステップＳ２０８に進む。経過した場合（ステップＳ２２２：ｙｅｓ）は、着座センサが使用者を検知しているかを判定する（ステップＳ２２４）。検知している場合（ステップＳ２２４：ｙｅｓ）は、ステップＳ２０２に戻り、検知していない場合（ステップＳ２２４：ｎｏ）は、便座４１０と便蓋４００を自動的に閉じる（ステップＳ２１８）。  
なお、ステップＳ２２２における所定時間（ａ秒）は、人体検知ユニット１００のタイマ（図２：ステップＳ２０８）よりも長くすることが望ましい。つまり、人体検知ユニット１００においてリモコン操作がされたために検知信号Ｔｙの送信が禁止されている間は、温水洗浄便座ユニット５００においては、使用者が存在していると推定して一連の処理を実行するとよい。
【００３９】
図５及び図６は、本実施形態のトイレ装置の動作の一例を説明するための模式図である。  すなわち、待機状態においては、図５（ａ）に表したように、例えばトイレの便蓋４００は閉じており、またリモコン２００と一体的に設けられた人体検知ユニット１００は連続的あるいは所定の時間間隔で使用者の有無を調べている。  
そして、図５（ｂ）に表したように使用者１０がトイレに近づき、人体検知ユニット１００の検知可能範囲内に入ると、人体検知ユニット１００は図５（ｃ）に表したように、温水洗浄便座ユニット５００に検知信号Ｔｙを送信する。すなわち、この時には、リモコン２００は操作されておらず、また、内蔵タイマもカウントしていないので、検知信号Ｔｙの送信が許可されている（図３：ステップＳ１１０：ｙｅｓ）。温水洗浄便座ユニット５００は、検知信号Ｔｙを受信すると、便蓋４００を自動的に開く（図４：ステップＳ２０６）。
【００４０】
次に、例えば図６（ａ）に表したように、人体検知ユニット１００の検知範囲内で使用者１０がリモコン２００を操作すると、人体検知ユニット１００の使用認識部１２０は、検知信号Ｔｙの送信を禁止する（図３：ステップＳ１０４：ｙｅｓ）。従って、使用者１０が人体検知ユニット１００の検知範囲内に居続けても、タイマがカウントアップするまでは検知信号Ｔｙは送信されず、人体検知ユニット１００（リモコン２００）の消費電力を節約できる。なお、図４に関して前述したように、検知信号Ｔｙの送信が禁止されている間、便座ユニット５００は、使用者１０が存在しているとの前提で一連の動作を実行するようにすることが望ましい。
【００４１】
また、例えば図６（ｂ）に表したように、使用者１０が便座４１０に座った状態でリモコン２００を操作すると、人体検知ユニット１００のタイマが再度リセットされカウントを開始する（図３：ステップＳ１０４：ｙｅｓ）。つまり、所定時間の間、検知信号Ｔｙの送信が再び禁止され、消費電力をさらに低減できる。なお、このように使用者１０が便座４１０に座っている時には、着座センサ４２０により検知可能とすることができる。
【００４２】
そして、図６（ｃ）に表したように、使用者１０がトイレを退出すると、人体検知ユニット１００の検知範囲から離脱する。温水洗浄便座ユニット５００のタイマがカウントアップして停止し（図４：ステップＳ２２２：ｙｅｓ）、着座センサ４２０も非検出状態になった時（図４：ステップＳ２２４：ｎｏ）に、便蓋４００を自動的に閉じるようにすることができる（図４：ステップＳ２１８）。また使用者１０が便座４１０を開いた状態でトイレを使用した場合には、この時に、便蓋４００とともに便座４１０も閉じる。このように便蓋４００を自動的に閉じるようにすると、衛生面や見栄えなどの点で優れるのみならず、例えば、便座４１０を暖房する場合に、その消費電力を低減できる点でも有利となる。
【００４３】
以上説明したように、本実施形態によれば、使用者１０がリモコン２００を操作した場合に、例えばその後の所定時間の間、検知信号Ｔｙの送信を禁止することにより、人体検知ユニット１００（リモコン２００）の消費電力を低減させ、電池の寿命を延ばすことができる。
【００４４】
次に、本発明の第２の実施の形態について説明する。  
図７は、本実施形態のトイレ用人体検知装置を備えたトイレ装置を例示する模式図である。図７以降の各図面については、それ以前の図面に関して前述したものと同様の要素には同一の符号を付して詳細な説明は省略する。
【００４５】
本実施形態においても、人体検知ユニット１００はリモコン２００と一体化されている。リモコン２００からは、制御信号Ｔｘと検知信号Ｔｙとがそれぞれ温水洗浄便座ユニット５００に送信される。そして、温水洗浄便座ユニット５００からは、通知信号Ｒｘがリモコン２００に向けて送信される。通知信号Ｒｘは、制御信号Ｔｘや検知信号Ｔｙなどと同様に、例えば、赤外線や電波などの媒体により搬送できる。
【００４６】
通知信号Ｒｘは、温水洗浄便座ユニット５００の動作状態や検知状態などを人体検知ユニット１００に通知するための信号である。例えば、温水洗浄便座ユニット５００の着座センサ４２０が使用者を検知している時や、使用者が温水洗浄便座ユニット５００のスイッチを操作している時、あるいは、温水洗浄便座ユニット５００の温水洗浄機能や脱臭機能、温風乾燥機能などが動作している時などに、通知信号Ｒｘが送信される。
【００４７】
図８は、本実施形態における各要素の構成を例示するブロック図である。  
すなわち、本実施形態においては、人体検知ユニット１００に受信部１３０が設けられ、温水洗浄便座ユニット５００に送信部５２０が設けられている。温水洗浄便座ユニット５００の制御部５５０は、着座センサが使用者を検知している場合や、便蓋４００が開かれた場合や、温水洗浄動作などが実行されている場合などに、送信部５２０から通知信号Ｒｘを送信する。送信された通知信号Ｒｘは、人体検知ユニット１００の受信部１３０を介して使用認識部１２０に送られる。
【００４８】
使用認識部１２０は、通知信号Ｒｘを受け取ると、その内容に応じて使用者がいると推定できる場合には、例えば所定時間の間、検知信号Ｔｙの送信を禁止する。その結果として、人体検知ユニット１００（リモコン２００）の消費電力を低減できる。本実施形態において、通知信号Ｒｘが送信される場合としては、例えば、温水洗浄便座ユニット５００の着座センサが使用者を検知している場合や、温水洗浄便座ユニット５００の操作スイッチが操作された場合、温水洗浄機能や脱臭機能などが動作している場合、便蓋４００や便座４１０が手動により開かれた場合、などを挙げることができる。
【００４９】
図９は、本実施形態のトイレ装置の動作の一例を表すフローチャートである。  
すなわち、本具体例においては、リモコンが操作されない場合（ステップＳ１０４：ｎｏ）であっても、通知信号Ｒｘを受信した場合（ステップＳ１１４：ｙｅｓ）には、タイマをリセットして検知信号Ｔｙの送信しない（ステップＳ１０８）。このようにすれば、使用者が温水洗浄便座ユニット５００を使用している場合などに、人体検知ユニット１００からの検知信号Ｔｙの送信を禁止して、消費電力を低減できる。
【００５０】
なお、図８及び図９においては、通知信号Ｒｘの受信と、リモコンの操作入力と、の少なくともいずれかが生じた時に検知信号Ｔｙの送信を禁止する具体例を表したが、本発明はこれに限定されない。すなわち、リモコンの操作入力は判定せず、通知信号Ｒｘのみに基づいて検知信号Ｔｙの送信を禁止するようにしてもよい。
【００５１】
図１０及び図１１は、本実施形態のトイレ装置の動作の一例を説明するための模式図である。  
すなわち、待機状態においては、図１０（ａ）に表したように、例えばトイレの便蓋４００は閉じており、またリモコン２００と一体化された人体検知ユニット１００は連続的あるいは所定の時間間隔で使用者の有無を調べている。そして、使用者１０がトイレに近づき、人体検知ユニット１００の検知可能範囲内に入ると、人体検知ユニット１００は図１０（ｂ）に表したように、温水洗浄便座ユニット５００に検知信号Ｔｙを送信する。すなわち、この時点では、リモコン２００は操作されておらず、また、温水洗浄便座ユニット５００も使用されていないので、検知信号Ｔｙの送信が許可されている（図９：ステップＳ１１２）。温水洗浄便座ユニット５００は、検知信号Ｔｙを受信すると、便蓋４００を自動的に開く（図４：ステップＳ２０６）。
【００５２】
次に、例えば図１０（ｃ）に表したように、人体検知ユニット１００の検知範囲内で使用者１０が便座４１０を手動により開くと、温水洗浄便座ユニット５００がこれを検知して、通知信号Ｒｘを人体検知ユニット１００に送信する。すると、人体検知ユニット１００の使用認識部１２０は、検知信号Ｔｙの送信を所定時間の間、禁止する（図９：ステップＳ１１４：ｙｅｓ）。男性が立った状態でトイレを使用する場合には、このようにして、通知信号Ｒｘを送信し、検知信号Ｔｙの送信を禁止することができる。
【００５３】
また一方、例えば図１１（ａ）に表したように、使用者１０が便座４１０に腰掛けた場合には、着座センサ４２０が使用者１０を検知する。すると、温水洗浄便座ユニット５００が通知信号Ｒｘを送信する。人体検知ユニット１００は、通知信号Ｒｘを受信すると、使用者１０が検知範囲内にいる場合も、所定時間の間、検知信号Ｔｙの送信を停止（図９：ステップＳ１１４：ｙｅｓ）し、消費電力を低減できる。また、この時、使用者１０が例えば温水洗浄便座ユニット５００の温水洗浄機能により「おしり」を洗浄している場合などにも、温水洗浄便座ユニット５００から通知信号Ｒｘが送信され、人体検知ユニット１００は、それに応じて検知信号Ｔｙの送信を抑制することができる。
【００５４】
そして、図１１（ｂ）に表したように、使用者１０がトイレを退出すると、人体検知ユニット１００の検知範囲から離脱する。温水洗浄便座ユニット５００のタイマがカウントアップして停止し（図４：ステップＳ２２２：ｙｅｓ）、着座センサ４２０も非検出状態になった時（図４：ステップＳ２２４：ｎｏ）に、便蓋４００を自動的に閉じるようにすることができる（図４：ステップＳ２１８）。
【００５５】
なお、ステップＳ２１８において便座４１０や便蓋４００を自動的に閉じる時には、温水洗浄便座ユニット５００は通知信号Ｒｘを送信しないようにしてもよい。このようにすれば、タイマがリセット（図９：ステップＳ１０８）されず、便蓋４００が自動閉止した直後に使用者を検知して検知信号Ｔｙを送信できる。つまり、便蓋４００を自動閉止する時には、そのトイレを使用した使用者１０は既に退出している場合が多い。そして、新たにそのトイレを使用する使用者が接近した場合に、その使用者を検知して検知信号Ｔｙを送信することにより、便蓋４００を自動的に開く動作を実行させることができる。
【００５６】
以上説明したように、本実施形態によれば、温水洗浄便座ユニット５００が使用されている時に通知信号Ｒｘを送信して、例えばその後の所定時間の間、検知信号Ｔｙの送信を禁止することにより、人体検知ユニット１００（リモコン２００）の消費電力を低減させ、電池の寿命を延ばすことができる。
【００５７】
図１２は、本実施形態の変型例のトイレ装置を例示するブロック図である。  
すなわち、本変型例においては、リモコン２００に設けられた受信部２４０が通知信号Ｒｘを受信し、その内容を使用認識部１２０とリモコン制御部２２０にそれぞれ出力する。使用認識部１２０は、図８などに関して前述したように、通知信号Ｒｘに基づいて、検知信号Ｔｙの送信を適宜制限する。また、リモコン制御部２２０は、通知信号Ｒｘの内容に基づいて、温水洗浄便座ユニット５００の動作や設定などを制御・変更する制御信号Ｔｘを適宜送信する。つまり、温水洗浄便座ユニット５００の動作状態や設定状態に関する情報を通知信号Ｒｘとして送信させ、リモコン２００が温水洗浄便座ユニット５００と双方向通信することにより、温水洗浄便座ユニット５００の動作状態や設定状態などに応じたリモコン制御が可能となる。
【００５８】
次に、本発明の第３の実施の形態について説明する。  
図１３は、本実施形態のトイレ用人体検知装置を備えたトイレ装置を例示する模式図である。  
本実施形態においては、人体検知ユニット１００は、リモコン２００とは別体の独立した機器として構成されている。このようにすると、リモコン２００は使用者の手元などの操作しやすい位置に設置でき、一方、人体検知ユニット１００は、トイレに接近する使用者を迅速かつ確実に検知できる位置に設置できる。
【００５９】
本実施形態においても、リモコン２００から制御信号Ｔｘが温水洗浄便座ユニット５００に送信される。一方、人体検知ユニット１００から温水洗浄便座ユニット５００に対して、検知信号Ｔｙが送信される。温水洗浄便座ユニット５００は、この検知信号Ｔｙを受信して便蓋４００の自動開閉などの動作を実行する。また、温水洗浄便座ユニット５００からは、通知信号Ｒｘが送信される。人体検知ユニット１００はこの通知信号Ｒｘを受信して、検知信号Ｔｙの送信を適宜制限する。
【００６０】
図１４は、本実施形態における各要素の構成を例示するブロック図である。  
本実施形態においては、人体検知ユニット１００に、受信部１３０と送信部１４０とが設けられている。受信部１３０は、温水洗浄便座ユニット５００から送信される通知信号Ｒｘを受信する。送信部１４０は、温水洗浄便座ユニット５００に対して検知信号Ｔｙを送信する。
【００６１】
第２実施形態に関して前述したように、使用者が温水洗浄便座ユニット５００を使用している場合に、通知信号Ｒｘが送信される。人体検知ユニット１００の受信部１３０が通知信号Ｒｘを受信すると、使用認識部１２０は、第２実施形態に関して前述したように例えば所定時間の間、検知信号Ｔｙの送信を禁止する。この結果、人体検知ユニット１００の消費電力をさらに低減できる。
【００６２】
本実施形態においても、機器間に電源配線を設けると施工が煩雑であり見栄えもよくないために、人体検知ユニット１００は電池駆動式とすることが望ましい。この場合、本実施形態によれば、制御信号Ｔｘや通知信号Ｒｘに基づいて検知信号Ｔｙの送信を抑制することにより、人体検知ユニット１００の消費電力を抑え、電池の寿命を長くしてメンテナンス性を改善するとともに、省資源の観点からも好ましいシステムを提供できる。
【００６３】
次に、本発明の第４の実施の形態について説明する。  
図１５は、本実施形態のトイレ用人体検知装置を備えたトイレ装置を例示する模式図である。  
本実施形態においても、人体検知ユニット１００は、リモコン２００とは別体の独立した機器として構成されている。このようにすると、第３実施形態に関して前述したように、リモコン２００と人体検知ユニット１００とをそれぞれ最適な場所に設置できる点で有利である。
【００６４】
本実施形態においても、リモコン２００から制御信号Ｔｘが温水洗浄便座ユニット５００に送信される。そして、人体検知ユニット１００は、この制御信号Ｔｘを傍受することにより、使用者がリモコン操作をしたことを認識することができる。多くの場合、リモコン２００から送信される制御信号Ｔｘは、赤外線を媒体とし、トイレの天井に向けて放出される。温水洗浄便座ユニット５００や人体検知ユニット１００は、天井からの反射波を検出することにより、使用者などに遮蔽されることなく制御信号Ｔｘを確実に受信することができる。  
一方、人体検知ユニット１００からは、検知信号Ｔｙが送信される。温水洗浄便座ユニット５００は、この検知信号Ｔｙを受信して便蓋４００の自動開閉などの動作を実行する。また、温水洗浄便座ユニット５００からは、通知信号Ｒｘが送信される。人体検知ユニット１００はこの通知信号Ｒｘを受信して、検知信号Ｔｙの送信を適宜制限する。
【００６５】
図１６は、本実施形態における各要素の構成を例示するブロック図である。  
本実施形態においては、人体検知ユニット１００に、受信部１３０と送信部１４０とが設けられている。受信部１３０は、リモコン２００から送信される制御信号Ｔｘを傍受するとともに、温水洗浄便座ユニット５００から送信される通知信号Ｒｘを受信する。送信部１４０は、温水洗浄便座ユニット５００に対して検知信号Ｔｙを送信する。
【００６６】
リモコン２００から送信された制御信号Ｔｘを受信部１３０が傍受すると、使用認識部１２０は、第１実施形態に関して前述したように、例えば所定時間の間、検知信号Ｔｙの送信を禁止する。こうすることにより、人体検知ユニット１００の消費電力を低減できる。
【００６７】
また、第２実施形態に関して前述したように、使用者が温水洗浄便座ユニット５００を使用している場合に、通知信号Ｒｘが送信される。人体検知ユニット１００の受信部１３０が通知信号Ｒｘを受信すると、使用認識部１２０は、第２実施形態に関して前述したように例えば所定時間の間、検知信号Ｔｙの送信を禁止する。この結果、人体検知ユニット１００の消費電力をさらに低減できる。
【００６８】
本実施形態においても人体検知ユニット１００は電池駆動式とした場合に、その消費電力を抑え、電池の寿命を長くしてメンテナンス性を改善するとともに、省資源の観点からも好ましいシステムを提供できる。
【００６９】
次に、本発明の第５の実施の形態について説明する。  
図１７は、本実施形態のトイレ用人体検知装置を備えたトイレ装置を例示する模式図である。  
本実施形態においても、人体検知ユニット１００は、リモコン２００とは別体の独立した機器として構成されている。そして、リモコン２００と温水洗浄便座ユニット５００とが相互通信可能とされている。すなわち、リモコン２００は、温水洗浄便座ユニット５００から送信される通知信号Ｒｘを受信可能とされている。
【００７０】
図１８は、本実施形態のトイレ装置のブロック図である。  
リモコン２００には、受信部２４０が設けられ、温水洗浄便座ユニット５００から送信された通知信号Ｒｘを受信可能とされている。図１２に関して前述した変型例と同様に、リモコン制御部２２０は、通知信号Ｒｘの内容に基づいて、温水洗浄便座ユニット５００の動作や設定などを制御・変更する制御信号Ｔｘを適宜送信する。つまり、温水洗浄便座ユニット５００の動作状態や設定状態に関する情報を通知信号Ｒｘとして送信させ、リモコン２００が温水洗浄便座ユニット５００と双方向通信することにより、温水洗浄便座ユニット５００の動作状態や設定状態などに応じたリモコン制御が可能となる。  
そして、本実施形態においても人体検知ユニット１００の消費電力を抑え、電池の寿命を長くしてメンテナンス性を改善するとともに、省資源の観点からも好ましいシステムを提供できる。
【００７１】
次に、本発明の第６の実施の形態について説明する。  
図１９は、本実施形態のトイレ用人体検知装置を備えたトイレ装置を例示する模式図である。  
本実施形態においても、人体検知ユニット１００は、リモコン２００とは別体の独立した機器として構成されている。そして、人体検知ユニット１００とリモコン２００とが、温水洗浄便座ユニット５００から送信される通知信号Ｒｘをそれぞれ受信するとともに、リモコン２００は、人体検知ユニット１００から送信される検知信号Ｔｙも受信可能とされている。
【００７２】
図２０は、本実施形態のトイレ装置のブロック図である。  
リモコン２００の受信部２４０は、温水洗浄便座ユニット５００から送信される通知信号Ｒｘと、人体検知ユニット１００から送信される検知信号Ｔｙと、をそれぞれ受信する。図１２に関して前述した変型例と同様に、リモコン２００が温水洗浄便座ユニット５００と双方向通信することにより、温水洗浄便座ユニット５００の動作状態や設定状態などに応じたリモコン制御が可能となる。また、リモコン２００が検知信号Ｔｙを受信することにより、使用者の存在に応じて、ガイド音やガイド表示などを実行することができる。
【００７３】
そして、本実施形態においても人体検知ユニット１００の消費電力を抑え、電池の寿命を長くしてメンテナンス性を改善するとともに、省資源の観点からも好ましいシステムを提供できる。
【００７４】
次に、本発明の第７の実施の形態について説明する。  
本実施形態においては、リモコンを支持する「リモコンハンガー」に人体検知ユニット１００が設けられている。  
図２１は、本実施形態のトイレ装置のリモコンハンガー７００にリモコン２００を収容した状態を例示する正面図である。  
また、図２２（ａ）〜（ｃ）は、本実施形態のリモコンハンガー７００をその上面、正面、下面からそれぞれ眺めた模式図である。
【００７５】
本具体例のリモコンハンガー７００は、リモコン２００を引っかけて収容できる形態を有する。すなわち、このリモコンハンガー７００は、左側筺体部７００Ａと、右側筺体部７００Ｃと、これらの間に設けられた背板部７００Ｂと、を有する。左側筺体部７００Ａには、左側スピーカ７１８Ｌや電池などが収容されている。右側筺体部７００Ｃには、人体検知ユニット１００（図示せず）とともに右側スピーカ７１８Ｒが収容され、さらにＬＣＤ（液晶）表示部７４０、操作入力部７５０、人体検知部１１０などが適宜設けられている。そして、左右のスピーカ７１８Ｒ、７１８Ｌから、音楽や効果音、擬音、ガイド音声などを適宜再生可能とされている。
【００７６】
このリモコンハンガー７００は、トイレの壁面にビス止め固定され、リモコン２００は、背板部７００Ｂに設けられたハンガー７００Ｄ（図２２参照）に引っかけて保持される。この時、図２１に表したように、リモコン２００と、左右の筺体部７００Ａ、７００Ｃと、がほぼ連続的なパネル面を形成し、リモコン背面の背板部７００Ｂは殆ど見えない。また、左右の筺体部７００Ａ、７００Ｃは、配線により接続する必要があるが、この配線も背板部７００Ｂに沿って取り回すことにより、リモコン２００の背面に隠すことができる。つまり、本具体例によれば、意匠性に極めて優れた外観を形成できる。しかも、必要に応じてリモコン２００を自在に着脱できる。
【００７７】
ここで、図２１に表したリモコン２００について説明すると、このリモコンは、温水洗浄便座ユニット５００の動作を制御するためのスイッチ類を備え、例えば、おしり洗浄スイッチ２４１、温風乾燥スイッチ２４２、停止スイッチ２４３などが設けられている。また、便器３００に洗浄水を流すための自動洗浄も可能とされ、大洗浄スイッチ２４４や小洗浄スイッチ２４５が設けられている。そして、赤外線ＬＥＤ（light emitting diode）を用いた送信部２３０（及び受信部２４０）が設けられ、温水洗浄便座ユニット５００へ制御信号Ｔｘが送信される。リモコンハンガー７００は、この制御信号Ｔｘを送受信窓部７７０において傍受する。
【００７８】
図２３は、リモコンハンガー７００の内側側面を表した模式図である。すなわち、同図（ａ）及び（ｂ）は、図２２（ｂ）のＢ−Ｂ矢視図である。  
図２３から分かるように、リモコン２００の送信部２３０（及び受信部２４０、検知信号受信部２５０）に対応して、右側筺体部７００Ｃの左側側面に送受信窓部７７０が設けられている。本具体例の場合、リモコン２００は、赤外線により制御信号Ｔｘなどを送信するので、送受信窓部７７０には、赤外線を検知する受光素子が内蔵されている。この送受信窓部７７０は、リモコン２００の送信部２３０（及び受信部２４０、検知信号受信部２５０）に隣接して設けられるので、制御信号Ｔｘなどを極めて確実且つ容易に傍受することができる。
【００７９】
また、図２２（ａ）から分かるように、送受信窓部７７０は、右側筺体部７００Ｃの上面に延在して設けられている。つまり、通常の設置態様において、トイレの天井を向く位置に送受信窓部７７０が延在している。このようにすると、温水洗浄便座ユニット５００に対して検知信号Ｔｙを送信したり、温水洗浄便座ユニット５００から通知信号Ｒｘを受信する際に、トイレの天井における反射波を利用することによって確実な送受信が可能となる。
【００８０】
なお、図２３に表したように、右側筺体部７００Ｃの左側側面には、メモリカードリーダ７１４が適宜設けられる。メモリカードリーダ７１４は、例えば、フラッシュメモリなどの半導体メモリを内蔵したメモリカードを挿入して格納されたデータを読み取ることができる。例えば、音楽や効果音、あるいは擬音や音声ガイドなどのデータをＭＰ３などのデータ形式でメモリカードに格納し、メモリカードリーダ７１４で読み取ることにより、再生することができる。
【００８１】
また、図２３に表したように、右側筺体部７００Ｃの左側側面には、ＤＣ（直流）電源入力端子７９０を設けることもできる。図２３（ａ）はこの入力端子７９０にＤＣ電源ジャック７９２を接続した状態を表す。ＤＣ電源ジャック７９２を介して、内蔵電池の充電などが可能となる。  
なお、この入力端子７９０は、図２２（ｃ）に表したように、筺体部７００Ｃの側面底部に設けられた凹部７９４の底部に設けられている。従って、図２３（ａ）に表したようにＤＣ電源ジャック７９２を挿入した状態において、電源ジャック７９２と干渉することなくリモコン２００を収容できる。なお、メモリカードリーダ７１４についても同様であり、メモリカードの突出を抑制することにより、メモリカードを挿入した状態において、メモリカードと干渉することなくリモコン２００を収容できる。
【００８２】
またこの場合、リモコン２００を収容した状態においては、メモリカードやＤＣ電源ジャック７９２がパネル面から隠れるため、外観がすっきりとして意匠性が低下することはなく、同時に、「いたずら」などを防ぐこともできる。
【００８３】
図２４は、右側筺体部７００Ｃの上部付近を拡大した模式図である。  
すなわち、リモコン２００を、筺体部７００Ｃに対してこのように隣接して収容することができる。この時、筺体部７００Ｃの上部左側面に設けられた送受信窓部７７０（図２２及び図２３参照）は、リモコンの送信部２３０（及び受信部２４０、検知信号受信部２５０）に隣接している。従って、送信部２３から温水洗浄便座ユニット５００に対して送信される制御信号Ｔｘを極めて確実且つ容易に傍受できる。
【００８４】
そして、筺体部７００Ｃには人体検知部１１０が設けられている。人体検知部１１０に用いるセンサとしては、例えば、焦電センサやドップラーセンサなどを用いることができる。特に、焦電センサを用いた場合には、いわゆるアクティブ型のセンサを用いた場合と比較して消費電力を低減できる点で有利である。
【００８５】
また一方、図２４に表したように、操作入力部１５０には、再生／停止、送り、戻し、モード選択、音量調節などの各種のスイッチが設けられ、使用者が好みの動作モードで好みのコンテンツを好みに応じて再生し停止できる。
【００８６】
図２５乃至図２７は、本実施形態におけるトイレ装置の要部構成を例示するブロック図である。  
図２５に表した具体例の場合、リモコンハンガー７００には、人体検知ユニット１００が設けられ、またさらに、受信部７１０、音声再生制御部７２０、音声再生部７３０が設けられている。リモコン２００から送信される制御信号Ｔｘは、温水洗浄便座ユニット５００とともに、リモコンハンガー７００の受信部７１０によって傍受される。すなわち、図２３に例示した送受信窓部７７０に受信部７１０が内蔵されている。
【００８７】
一方、人体検知ユニット１００には、人体検知部１１０、通信制御部１２５、使用認識部１２０、送信部１４０が設けられている。人体検知部１１０が使用者を検知すると、通信制御部１２５は、使用認識部１２０によって許可されている場合には、検知信号Ｔｙを送信するための制御動作を実行する。音声再生制御部７２０は、通信制御部１２５から人体検知に対応する指令を受け取ると、音声などを適宜再生する。つまり、使用者を検知すると、音楽や効果音などを自動的に再生することができる。
【００８８】
また一方、通信制御部１２５は、使用認識部１２０から許可されている場合には、人体検知に対応して送信部１４０から検知信号Ｔｙを送信させる。送信部１４０も、送受信窓部７７０に内蔵されている。検知信号Ｔｙは、リモコンの検知信号受信部２５０において受信される。リモコン制御部２２０は、検知信号Ｔｙを入力すると、送信部２３０から温水洗浄便座ユニット５００に対して検知信号Ｔｙを送信させる。つまり、検知信号Ｔｙは、人体検知ユニット１００からリモコン２００を介して温水洗浄便座ユニット５００に送信される。検知信号Ｔｙを受信した温水洗浄便座ユニット５００は、例えば図４に関して前述したような各種の動作を実行する。
【００８９】
そして、リモコン２００から送信される制御信号Ｔｘは、リモコンハンガー７００の送受信窓部７７０に内蔵された受信部７１０によって傍受され、音声再生制御部７２０と、使用認識部１２０にそれぞれ出力される。音声再生制御部７２０は、入力された制御信号Ｔｘの内容に応じて、音楽や効果音、擬音、音声ガイドなどを音声再生部７３０に再生させる。例えば、リモコン２００の「おしり」洗浄スイッチが操作された時には、「おしり洗浄を開始します」のようなガイド音声や、特定の効果音などを自動的に再生することができる。
【００９０】
また一方、制御信号Ｔｘを入力した使用認識部１２０は、第１実施形態に関して前述したように、例えば所定時間の間、検知信号Ｔｙの送信を禁止する。こうすることにより、人体検知ユニット１００（リモコンハンガー７００）の消費電力を低減できる。
【００９１】
またさらに、温水洗浄便座ユニット５００から送信された通知信号Ｒｘは、リモコン２００の受信部２４０において受信される。リモコン２００は、通知信号Ｒｘの内容に応じて、最適な制御動作や設定動作などを適宜実行することができる。また、通知信号Ｒｘを送信部２３０から受信部７１０に適宜送信してもよい。この場合、第２実施形態に関して前述したように、人体検知ユニット１００の受信部１３０が通知信号Ｒｘを受信すると、使用認識部１２０は、例えば所定時間の間、検知信号Ｔｙの送信を禁止する。この結果、人体検知ユニット１００（リモコンハンガー７００）の消費電力をさらに低減できる。  
また、図２５に表した具体例においては、リモコン２００は、受信部２４０と検知信号受信部２５０とをそれぞれ有するが、これらを統合して一つの受信部としてもよい。
【００９２】
次に、図２６に表した具体例の場合も、リモコン２００から送信された制御信号Ｔｘをリモコンハンガー７００の受信部７１０が傍受し、人体検知ユニット１００（リモコンハンガー７００）の使用認識部１２０に出力する。制御信号Ｔｘを入力した使用認識部１２０は、第１実施形態に関して前述したように、例えば所定時間の間、検知信号Ｔｙの送信を禁止する。こうすることにより、人体検知ユニット１００（リモコンハンガー７００）の消費電力を低減できる。
【００９３】
またさらに、本具体例においては、温水洗浄便座ユニット５００からの通知信号Ｒｘは、リモコンハンガー７００に設けられた人体検知ユニット１００の受信部１３０によって直接受信される。人体検知ユニット１００の受信部１３０が通知信号Ｒｘを受信すると、第２実施形態に関して前述したように、使用認識部１２０は、例えば所定時間の間、検知信号Ｔｙの送信を禁止する。この結果、人体検知ユニット１００の消費電力をさらに低減できる。
【００９４】
次に、図２７に表した具体例の場合も、リモコン２００から送信された制御信号Ｔｘをリモコンハンガー７００の受信部７１０が傍受し、人体検知ユニット１００の使用認識部１２０に出力する。制御信号Ｔｘを入力した使用認識部１２０は、第１実施形態に関して前述したように、例えば所定時間の間、検知信号Ｔｙの送信を禁止する。こうすることにより、人体検知ユニット１００（リモコンハンガー７００）の消費電力を低減できる。
【００９５】
また、本具体例においては、温水洗浄便座ユニット５００からの通知信号Ｒｘは、リモコン２００により受信され、リモコンハンガーの受信部７１０を介して人体検知ユニット１００の使用認識部１２０に転送される。すると、第２実施形態に関して前述したように、使用認識部１２０は、例えば所定時間の間、検知信号Ｔｙの送信を禁止する。この結果、人体検知ユニット１００（リモコンハンガー７００）の消費電力をさらに低減できる。
【００９６】
また、本具体例においては、使用認識部１２０により許可されている状態において、検知信号Ｔｙは、人体検知ユニット１００の送信部１４０から温水洗浄便座ユニット５００に直接送信される。すなわち、送信部１４０は、リモコンハンガー７００の送受信窓部７７０に内蔵され、トイレの天井からの反射波などを利用して温水洗浄便座ユニット５００に検知信号Ｔｙを送信することができる。温水洗浄便座ユニット５００は、検知信号Ｔｙを受信すると、例えば、図４に関して前述したような各種の動作を実行する。
【００９７】
（具体例）
次に、本発明者の検討の結果、得られた消費電流の低減効果の一例を紹介する。  
標準的なケースとして、成人の男女と子供の男女の４人家族がトイレを使用する場合について説明する。この場合、一日あたりのトイレの累積使用回数は、１６回とする。また、トイレの標準的な使用時間は、男性の「大」が３００秒、男性の「小」が３０秒、女性の「大」が３００秒、女性の「小」が６０秒という統計データがある。これに基づき、トイレの一回あたりの使用時間を、簡便化のために、２分間とする。すると、一年間でのトイレの合計使用時間は、１９４．７時間となる。
一日の使用回数        ：１６回
一年間の使用回数      ：５８４０回
一回当たりの使用時間  ：２分
一年間での合計使用時間：１９４．７時間
次に、人体検知ユニット１００の人体検知部１１０のセンサとして、消費電力の小さい焦電センサを用いることとする。この場合、待機時（非検知時）の消費電流は約１３０マイクロアンペアであり、人体検知時の使用電流は約２３０マイクロアンペアである。
待機時消費電流  ：１３０マイクロアンペア
人体検知時の増分：プラス１００マイクロアンペア
次に、人体検知ユニット１００（または、リモコン２００あるいはリモコンハンガー７００）から温水洗浄便座ユニット５００に検知信号Ｔｙを送信するために、２本の赤外線ＬＥＤ（light emitting diode）を用いた場合について説明する。  
前述したように、トイレの一回あたりの平均の使用時間を２分間とすると、送信インターバルを１０秒とした場合には、トイレの一回の使用あたり、検知信号Ｔｙが１２回送信されることなる。
トイレ使用あたりの送信回数：１２回
ここで、検知信号Ｔｙを１回送信するのに必要な消費電流は、約０．０１ミリアンペア時間（ｍＡｈ）であることが実測されている。従って、一回あたり、すなわち２分間トイレを使用する間に、検知信号Ｔｙの送信のために消費される電流量は、０．１２１ミリアンペア時間（ｍＡｈ）となる。
【００９８】
以上説明した条件のもとで、本発明を適用しない場合の人体検知ユニット１００の一年間の消費電流量は、以下の如くである。
待機時の消費電流    ：１１３８．８ｍＡｈ
検知時の消費電流    ：１９．４６７ｍＡｈ
送信時の消費電流    ：７０４．５４ｍＡｈ（送信回数＝７００８０回）
人体検知ユニットの合計消費電流  ：１８６２．８０７ｍＡｈ
これに対して、本発明の第１の実施の形態を適用した場合には、使用者を検知して検知信号Ｒｘを一回送信した後は、図３のステップＳ１０８においてタイマの設定時間を例えば３０秒とすると、トイレを使用する２分間のうちの３０秒間は、検知信号Ｔｙの送信が禁止される。そして、この間に使用者がリモコン２００を操作（ステップＳ１０４：ｙｅｓ）すると、タイマがリセットされ（ステップＳ１０８）さらに３０秒間、検知信号Ｔｙの送信が禁止される。
【００９９】
このようにして、仮に、使用者がトイレを使用する２分間のうちの６０秒間、検知信号Ｔｙの送信を禁止したとすると、送信回数を半分に減らすことができる。従って、送信時の消費電流の一年間の合計は、以下の如くである。
送信時の消費電流    ：３５２．２７ｍＡｈ（送信回数＝３５０４０回）
人体検知ユニットの合計消費電流  ：１５１０．５３７ｍＡｈ
つまり、消費電流量を１９パーセント近く低減することができる。
【０１００】
また、実際の使用態様においては、使用者は、便器に予備的に洗浄水を流したり、便座の温度を調節したり、温水洗浄機能をつかって「おしり」などを洗浄・乾燥するなどの各種の動作をリモコン２００により実行する場合が多い。つまり、第１の実施の形態を適用した場合に、使用者がリモコン２００を操作することにより検知信号Ｔｙの送信を禁止できる回数は、さらに多い場合と考えられる。
【０１０１】
仮に、トイレを使用する２分間のうちの９０秒間、検知信号Ｔｙの送信を禁止したとすると、送信回数を１２回から３回にまで減らすことができる。この場合の消費電流の一年間の合計は以下の如くである。
送信時の消費電流    ：１７６．１３５ｍＡｈ（送信回数＝１７５２０回）
人体検知ユニットの合計消費電流  ：１３３４．４０２ｍＡｈ
つまり、消費電流量を２８パーセント以上低減することができる。
【０１０２】
一方、本発明の第２の実施の形態を適用した場合には、消費電流をさらに低減することが可能である。例えば、男性が「小」の使用をする場合、まず便蓋を手動にて開く必要がある。温水洗浄便座ユニット５００は、この動作を検知して通知信号Ｒｘを送信する。従って、人体検知ユニット１００は、最初の検知信号Ｔｙを送信した後に、直ちに送信禁止することができる。また、男性の「大」や女性の使用に際しては、便座に着座するので、着座センサの検知に基づいて通知信号Ｒｘが送信される。その結果として、人体検知ユニット１００からの検知信号Ｔｙの送信を確実に禁止することができる。
【０１０３】
このように、第２実施形態の場合、検知信号Ｔｙの送信をより確実に禁止でき、第１実施形態と組み合わせることにより、トイレを使用する２分間の間、ほぼ完全に検知信号Ｔｙの送信を禁止することも可能である。この場合、検知信号Ｔｙの送信回数を１２回から１回にまで減らすことが可能である。すなわち、この場合の消費電流の一年間の合計は以下の如くである。
送信時の消費電流    ：５８．７１ｍＡｈ（送信回数＝５８４０回）
人体検知ユニットの合計消費電流  ：１２１６．９７７ｍＡｈ
つまり、消費電流量を１８６０ｍＡｈから１２００ｍＡｈまで、３５パーセント近く低減することが可能である。
【０１０４】
以上、具体例を参照しつつ、本発明の実施の形態について説明した。しかし、本発明は、これらの具体例に限定されるものではない。例えば、第１乃至第７の実施の形態に関して前述した特徴部分は、技術的な可能な範囲においていかようにも組合せることができ、これら組合せにより得られたトイレ装置についても、本発明の要旨を含む限りにおいて本発明の範囲に包含される。
【０１０５】
また、本発明のトイレ装置に含まれる人体検知ユニット、リモコン、温水洗浄便座ユニット、リモコンハンガー、便器、ロータンクなどの各要素については、当業者が適宜設計変更することにより本発明を同様に実施し、同様の効果を得ることができるものも本発明の要旨を含む限り、本発明の範囲に包含される。
【０１０６】
その他、本発明の実施の形態として上述したトイレ装置を基にして、当業者が適宜設計変更して実施しうるすべてのトイレ装置も同様に本発明の範囲に属する。
【図面の簡単な説明】
【０１０７】
【図１】本発明の第１の実施の形態にかかる人体検知装置を備えたトイレ装置の構成を例示する概念図である。
【図２】第１の実施形態における各要素の構成を例示するブロック図である。
【図３】第１の実施形態のトイレ装置における動作を例示するフローチャートである。
【図４】検知信号Ｔｙを受信した時に温水洗浄便座ユニット５００において実行される動作を例示するフローチャートである。
【図５】第１の実施形態のトイレ装置の動作の一例を説明するための模式図である。
【図６】第１の実施形態のトイレ装置の動作の一例を説明するための模式図である。
【図７】本発明の第２の実施形態のトイレ装置を例示する模式図である。
【図８】第２の実施形態における各要素の構成を例示するブロック図である。
【図９】第２の実施形態のトイレ装置の動作の一例を表すフローチャートである。
【図１０】第２の実施形態のトイレ装置の動作の一例を説明するための模式図である。
【図１１】第２の実施形態のトイレ装置の動作の一例を説明するための模式図である。
【図１２】第２の実施形態の変型例のトイレ装置を例示するブロック図である。
【図１３】本発明の第３の実施形態のトイレ装置を例示する模式図である。
【図１４】第３の実施形態における各要素の構成を例示するブロック図である。
【図１５】本発明の第４の実施形態のトイレ装置を例示する模式図である。
【図１６】第４の実施形態における各要素の構成を例示するブロック図である。
【図１７】本発明の第５の実施形態のトイレ装置を例示する模式図である。
【図１８】第５の実施形態のトイレ装置のブロック図である。
【図１９】本発明の第６の実施形態のトイレ装置を例示する模式図である。
【図２０】第６の実施形態のトイレ装置のブロック図である。
【図２１】本発明の第７の実施形態のトイレ装置のリモコンハンガー７００にリモコン２００を収容した状態を例示する正面図である。
【図２２】（ａ）〜（ｃ）は、第７の実施形態のリモコンハンガー７００をその上面、正面、下面からそれぞれ眺めた模式図である。
【図２３】リモコンハンガー７００の内側側面を表した模式図である。
【図２４】右側筺体部７００Ｃの上部付近を拡大した模式図である。
【図２５】第７の実施形態におけるトイレ装置の要部構成を例示するブロック図である。
【図２６】第７の実施形態におけるトイレ装置の要部構成を例示するブロック図である。
【図２７】第７の実施形態におけるトイレ装置の要部構成を例示するブロック図である。
【符号の説明】
【０１０８】
１０ 使用者
１００ 人体検知ユニット
１１０ 人体検知部
１２０ 使用認識部
１２５ 通信制御部
１３０ 受信部
１４０ 送信部
１５０ 操作入力部
２００ リモコン
２１０ 操作入力部
２２０ リモコン制御部
２３０ 送信部
２４０ 受信部
２４１ 洗浄スイッチ
２４２ 温風乾燥スイッチ
２４３ 停止スイッチ
２４４ 大洗浄スイッチ
２４５ 小洗浄スイッチ
２５０ 検知信号受信部
３００ 便器
４００ 便蓋
４１０ 便座
４２０ 着座センサ
５００ 温水洗浄便座ユニット
５０５ ノズル
５１０ 受信部
５２０ 送信部
５５０ 制御部
７００ リモコンハンガー
７００Ａ 左側筺体部
７００Ｂ 背板部
７００Ｃ 右側筺体部
７００Ｄ ハンガー
７１０ 受信部
７１４ メモリカードリーダ
７１８Ｌ 左側スピーカ
７１８Ｒ 右側スピーカ
７２０ 音声再生制御部
７３０ 音声再生部
７４０ 表示部
７５０ 操作入力部
７７０ 送受信窓部
７９０ 電源入力端子
７９２ 電源ジャック
７９４ 凹部
【図１】
2006283394.tif 000003
【図２】
2006283394.tif 000004
【図３】
2006283394.tif 000005
【図４】
2006283394.tif 000006
【図５】
2006283394.tif 000007
【図６】
2006283394.tif 000008
【図７】
2006283394.tif 000009
【図８】
2006283394.tif 000010
【図９】
2006283394.tif 000011
【図１０】
2006283394.tif 000012
【図１１】
2006283394.tif 000013
【図１２】
2006283394.tif 000014
【図１３】
2006283394.tif 000015
【図１４】
2006283394.tif 000016
【図１５】
2006283394.tif 000017
【図１６】
2006283394.tif 000018
【図１７】
2006283394.tif 000019
【図１８】
2006283394.tif 000020
【図１９】
2006283394.tif 000021
【図２０】
2006283394.tif 000022
【図２１】
2006283394.tif 000023
【図２２】
2006283394.tif 000024
【図２３】
2006283394.tif 000025
【図２４】
2006283394.tif 000026
【図２５】
2006283394.tif 000027
【図２６】
2006283394.tif 000028
【図２７】
2006283394.tif 000029